(57)【要約】【課題】シールを通して器具を配置しまたは取出すときに遭遇する牽引力を低減させかつシール器具および外科用器具の軸線方向に隔壁シールが移動することを制限することができる隔壁シール保護機構を提供することにある。【解決手段】本発明は、長手方向軸線に沿って形成されたチャネルを備えたトロカール組立体において、近位側を向いた表面を備えたシールチップを含むチャネル内に配置される隔壁シールと、近位端および遠位端を含む管状部材を備えた隔壁シールドと、管状部材の遠位端から遠位側に突出している複数のブレードとを有し、隔壁シールドは、ブレードがシールチップの近位側を向いた表面と係合するようにして隔壁シールの内部に配置される構成のトロカール組立体に関する。【選択図】図４
2007513691.tif 000002
【特許請求の範囲】
【請求項１】
長手方向軸線に沿って形成されたチャネルを備えた、外科用器具を受入れることができるトロカール組立体において、
近位側を向いた表面を備えたシールチップを含むチャネル内に配置される隔壁シールと、
近位端および遠位端を含む管状部材を備えた隔壁シールドと、管状部材の遠位端から遠位側に突出している複数のブレードとを有し、隔壁シールドは、ブレードがシールチップの近位側を向いた表面と係合するようにして隔壁シールの内部に配置されることを特徴とするトロカール組立体。
【請求項３】
ゼロ封鎖シールは二重ダックビル弁であることを特徴とする請求項２記載のトロカール組立体。
【請求項４】
前記隔壁シールドは、隔壁シールを通して外科用器具を挿入しかつ取出すときの牽引力を低減させることを特徴とする請求項１記載のトロカール組立体。
【請求項５】
前記隔壁シールドは、外科用器具の挿入時および取出し時の隔壁シールドおよび外科用器具の軸線方向移動を最小にするように作用することを特徴とする請求項１記載のトロカール組立体。
【請求項７】
前記ブレードは互いにオーバーラップすることを特徴とする請求項１記載のトロカール組立体。
【請求項８】
前記隔壁シールドは、ブレードが、オリフィスを形成する部分の半径方向で隔壁シールと係合するようにして隔壁シールの内部に配置されることを特徴とする請求項１記載のトロカール組立体。
【請求項１０】
各ブレードは、前記外科用器具の挿入時および取出し時に、外科用器具に対して滑るか丸められる遠位側チップを有していることを特徴とする請求項１記載のトロカール組立体。
【請求項１１】
各ブレードは、遠位側チップに第一応力集中を形成しかつブレードの本体に沿って第二応力集中を形成することを特徴とする請求項１０記載のトロカール組立体。
【請求項１２】
前記第一応力集中は遠位側チップが外科用器具に対して内方に移動することを可能にし、第二応力集中は本体が外科用器具から外方に離れるように移動することを可能にすることを特徴とする請求項１１記載のトロカール組立体。
【請求項１６】
前記各ブレードの遠位側チップは、第一デュロメータ硬度を有する第一材料と、第二デュロメータ硬度を有する、第一材料よりも遠位側の第二材料とを備えていることを特徴とする請求項１０記載のトロカール組立体。
【請求項１７】
前記第一デュロメータ硬度は、第二デュロメータ硬度に等しいかこれより大きいことを特徴とする請求項１６記載のトロカール組立体。
【請求項１８】
前記第一デュロメータ硬度は第二デュロメータ硬度より小さいことを特徴とする請求項１６記載のトロカール組立体。
【請求項２２】
或る断面寸法をもつ外科用器具を受入れることができる弁組立体において、
長い軸線に沿って貫通して延びるチャネルを形成しているハウジングと、
オリフィスを形成する遠位側部分を備えた、ハウジング内に配置される隔壁シールとを有し、前記遠位側部分は半径方向外方に拡大して、オリフィスを拡大でき、
作動可能にハウジングに取付けられかつオリフィスを拡大すべくオリフィスの外方で隔壁シールと係合する隔壁シールドを更に有し、該隔壁シールドは外科用器具に応答し、該器具の断面寸法に比例してオリフィスを拡大し、
隔壁シールドは近位端および遠位端を備え、遠位端は複数のブレードを備え、各ブレードは、オリフィスを形成する遠位側部分の半径方向で隔壁シールと係合できる遠位端を備えていることを特徴とする弁組立体。
【請求項３０】
細長物体を受入れて該細長物体の周囲にシールを形成することができるシール組立体において、
チャネルを形成するハウジングを有し、チャネルはこれを通ってほぼ軸線方向に移動する物体を受入れるように構成されており、
ハウジングのチャネルを横切って延びる隔壁と、
物体を受入れることができる孔を形成する隔壁の部分とを有し、該部分はチャネルを通して物体と係合し、
近位端および遠位端を備えた、ハウジング内に配置される隔壁シールドを更に有し、前記遠位端は、前記孔に向かう物体のガイドおよびチャネル内への挿入に応答する孔の拡大を容易にする複数のブレードを備えていることを特徴とするシール組立体。
【請求項３１】
前記隔壁シールドのブレードは摩擦力を低減させて、ハウジングのチャネルを通して物体を更に移動させることを容易にすることを特徴とする請求項３０記載のシール組立体。
【請求項３２】
前記隔壁のチャネルの外側に配置されるゼロ封鎖シールを更に有することを特徴とする請求項３０記載のシール組立体。
【請求項３３】
前記隔壁シールドは剛性プラスチック材料で形成されていることを特徴とする請求項３０記載のシール組立体。
【請求項３４】
前記孔は、約５〜１５ｍｍの直径を有する物体に適合するように拡大可能であることを特徴とする請求項３０記載のシール組立体。
【請求項３５】
前記ブレードは互いにオフセットされていることを特徴とする請求項３０記載のシール組立体。
【請求項３６】
前記シールは、低デュロメータ硬度を有するエラストマ材料で形成されていることを特徴とする請求項３０記載のシール組立体。
【請求項３７】
前記隔壁の外側に配置される第二隔壁シールドを更に有することを特徴とする請求項３０記載のシール組立体。
【発明の詳細な説明】
【技術分野】
【０００１】
本願は、「密封型隔壁トロカールシール（Shielded Septum Trocal Seal）」の名称に係る２００３年１２月１２日付米国仮特許出願第６０／５２９，４５５号明細書の優先権を主張する非仮特許出願である。
本発明は、広くは医療用アクセス器具に関し、より詳しくは、密封型隔壁（septum）トロカールシールに関する。
【背景技術】
【０００２】
機械式トロカールは、一般に、ワーキングチャネルと、注入ガスの逃散を防止すべく機能する弁を収容するハウジングとを備えたカニューレを有している。トロカールのカニューレは、最初にワーキングチャネル内に挿入され次にカニューレが所定位置に配置されたならば取出される栓塞子を用いて、患者の腹壁を通して配置される。腹内の手術部位に到達し、ここで手術機能を遂行すべく、トロカールのワーキングチャネルを通して種々の細長器具を挿入することができる。弁の機能は、このような器具の外面に係合して器具の周囲にシールを形成し、注入ガスの逃散を防止することにある。
【発明の開示】
【発明が解決しようとする課題】
【０００３】
一般に、トロカール弁は、鋭い器具形状により破裂および裂けを非常に受け易いエラストマ材料から形成される。一般に多くの器具は鋭い遠位端を有しているので、弁をこれらの物体から保護することが特に望まれている。より詳しくは、シールを通して器具を配置しまたは取出すときに遭遇する牽引力を低減させかつシール器具および外科用器具の軸線方向に隔壁シールが移動することを制限すべく、外科用器具の挿入中に隔壁シールを保護できる機構を提供することが望まれている。
【課題を解決するための手段】
【０００４】
本発明の一実施形態では、長手方向軸線に沿って形成されたチャネルを備えた、外科用器具を受入れることができるトロカール組立体であって、近位側を向いた表面を備えたシールチップを含むチャネル内に配置される隔壁シールと、近位端および遠位端を含む管状部材を備えた隔壁シールドと、管状部材の遠位端から遠位側に突出している複数のブレードとを有し、隔壁シールドは、ブレードがシールチップの近位側を向いた表面と係合するようにして隔壁シールの内部に配置されることを特徴とするトロカール組立体が開示される。トロカール組立体には、更に、隔壁シールの外側でチャネル内に配置される二重ダックビル弁のようなゼロ封鎖シールを設けることができる。隔壁シールドは、隔壁シールを通して外科用器具を挿入しおよび取出すときに、牽引力を低減させかつ隔壁シールドおよび器具の軸線方向移動を最小にするように作用する。隔壁シールドは更に、隔壁シールのオリフィスを拡大する前に、ブレードすなわちリーフレットを通る外科用器具の心出しおよびガイドを行うように作用する。隔壁シールドは剛性プラスチック材料から形成でき、隔壁シールは、低デュロメータ硬度ポリマーを含むエラストマ材料で形成できる。隔壁シールドのブレードすなわちリーフレットは、互いにオーバーラップまたはオフセットさせることができる。
【０００５】
本発明の他の態様では、隔壁シールドは、ブレードが、オリフィスを形成する部分の半径方向で隔壁シールと係合するようにして隔壁シールの内部に配置できる。オリフィスは、約５〜１５ｍｍの直径をもつ器具に適合するように拡大できる。各ブレードまたはリーフレットは、外科用器具の挿入時および取出し時に、器具に対して滑るか丸められる遠位側チップを有している。他の態様では、各ブレードの遠位側チップは更に、第一デュロメータ硬度を有する第一材料と、第二デュロメータ硬度を有する、第一材料よりも遠位側の第二材料とを備えている。この態様では、第一デュロメータ硬度は、第二デュロメータ硬度に等しいかこれより大きく、第一デュロメータ硬度は第二デュロメータ硬度より小さくすることができる。他の態様では、トロカール組立体には更に、隔壁シールの外側に配置される第二隔壁シールドを設けることができる。
【０００６】
隔壁シールドのブレードすなわちリーフレットを隔壁シールの近くに配置することにより、器具を隔壁シールの柔軟な可撓性材料上ではなく、隔壁シールドの潤滑性材料上で摺動させることができるため、器具の挿入または取出しを行うのに要する牽引力を低減できる。また、隔壁シールドは、隔壁シールを支持し、かつ器具が隔壁シールに挿入または隔壁シールから取出されるときに隔壁シールのあらゆる軸線方向移動を低減させるのに使用できる。更に、ブレードすなわちリーフレットは互いにオフセットさせて、器具が挿入または取出されるときに、ブレードすなわちリーフレットが互いに障害とならず、かつ同じ態様で反復して互いにオーバーラップするように構成できる。
【０００７】
本発明の他の実施形態では、或る断面寸法をもつ外科用器具を受入れることができる弁組立体であって、長い軸線に沿って貫通して延びるチャネルを形成しているハウジングと、オリフィスを形成する遠位側部分を備えた、ハウジング内に配置される隔壁シールとを有し、前記遠位側部分は半径方向外方に拡大して、オリフィスを拡大でき、作動可能にハウジングに取付けられかつオリフィスを拡大すべくオリフィスの外方で隔壁シールと係合する隔壁シールドを更に有し、該隔壁シールドは外科用器具に応答し、該器具の断面寸法に比例してオリフィスを拡大し、隔壁シールドは近位端および遠位端を備え、遠位端は複数のブレードを備え、各ブレードは、オリフィスを形成する遠位側部分の半径方向で隔壁シールと係合できる遠位端を備えている構成の弁組立体が開示される。
【０００８】
本発明の他の実施形態では、細長物体を受入れて該細長物体の周囲にシールを形成することができるシール組立体であって、チャネルを形成するハウジングを有し、チャネルはこれを通ってほぼ軸線方向に移動する物体を受入れるように構成されており、ハウジングのチャネルを横切って延びる隔壁と、物体を受入れることができる孔を形成する隔壁の部分とを有し、該部分はチャネルを通して物体と係合し、近位端および遠位端を備えた、ハウジング内に配置される隔壁シールドを更に有し、前記遠位端は、前記孔に向かう物体のガイドおよびチャネル内への挿入に応答する孔の拡大を容易にする複数のブレードを備えている構成のシール組立体が開示される。
【０００９】
本発明の更に別の態様では、ブレードすなわちリーフレットのデュロメータ硬度およびシールドの幾何学的形状は、器具が隔壁シールドに接触するときの隔壁シールドの挙動をコントロールできるように変更できる。更に、隔壁シールドは、器具がトロカールから取出されるときに、シールドの圧縮および隔壁の圧縮およびシールドの反転現象を防止し、更にトロカールから器具が取出されるときにロックアップまたは詰まりを引起こさないように防止することも考えられる。
【発明を実施するための最良の形態】
【００１０】
本発明の上記および他の特徴は、添付図面を参照して述べる種々の実施形態についての以下の説明から明らかになるであろう。
本明細書に含まれかつ本明細書の一部を構成する添付図面は、本発明の実施形態を例示しかつ図面の説明とともに本発明の特徴、長所および原理を説明するものである。
図１には従来技術のトロカールが示されており、該トロカールの全体が参照番号１０で示されている。トロカール１０は、ハウジング１２と、体壁１６を通って体腔１８内に入るカニューレ１４とを備えた多くの形式の外科用アクセス器具を代表するものである。トロカール１０の場合には、カニューレ１４は、腹壁１６を通って腹腔等の体腔内に入るように構成されている。ハウジング１２は、内面２３により形成されたチャンバ２１を有している。ハウジング１２のこのチャンバ２１は、内面２７により形成された、カニューレ１４内のルーメン（管孔）２５に連通している。
【００１１】
一般にトロカール１０は、器官分離を行なうか、さもなくば手術環境の大きさを増大させるべく腹腔１８を注入ガスで加圧する腹腔鏡手術に使用される。このような特徴により、トロカール１０は、細長形状および外面２９を有する器具２８を受入れることができる。器具２８は、トロカール１０を通って腹腔１８内に入り、外科手術を行うのに充分な長さを有する１対の鋏として示されている。図１には鋏を示したが、器具２８として、針、リトラクタ、小刀、クランプ等の任意の器具および他の種々の外科用器具があることは理解されよう。
【００１２】
ハウジング１２は、孔すなわち隔壁シール３０およびゼロ封鎖シール３２を備えたシール機構の構造的支持体を形成するように構成されている。これらのシール３０、３２の機能は、器具２８がトロカール１０内に作動態様で配置されているか、器具２８がトロカール１０から取出されているかにかかわらず、任意の加圧流体が腹腔１８から逃散することを防止することである。いずれの場合でも、弁３０、３２は、器具２８がトロカール１０内に挿入されまたは取出されるときに最小の摩擦力を生じるように構成されるのが望ましい。現在では、弁３０は一般に弾性材料で形成されており、孔３４が外面２９に押付けられてシールを形成するようになっている。大きい摩擦力を回避するため、この孔３４は、外面２９の直径よりも僅かに小さい直径をもつようにサイズが定められるのが好ましい。しかしながら、特定手術には種々の器具および外面２９の種々の直径が要求されるため、弁３０は一定範囲の器具サイズに適合できるように交換されなくてはならない。
【００１３】
図２を参照すると、これも現在使用されているトロカールシール５０が示されている。トロカールシール５０は、シールハウジング５２、カニューレシール５４、シールスペーサ５６、二重ダックビル弁、隔壁シール６０、シールスリーブ６２およびシールキャップ６４を有している。しかしながら、トロカールシール５０の欠点は、外科用器具の挿入中に、シールスリーブ６２が、隔壁シール６０のチップ６０ａを保護しないことである。また、シールスリーブ６２は、隔壁シール６０を通して器具の配置または取出しを行うときに遭遇する牽引力を充分に低減させず、かつシール器具および外科用器具の軸線方向のシール移動を制限する。
【００１４】
図３には、外科用器具の挿入および取出し中に隔壁シール６０を保護すべく、図２のシールスリーブ６２と置換して使用できる本発明の隔壁シールド７０が示されている。前述のように、隔壁シール６０は、器具がそれぞれのトロカールシールを通して配置される間に、気腹（pneumoperitoneum）を保持すべく機能する。本発明の隔壁シールド７０は、近位端および遠位端を備えた管状部材７２と、該管状部材７２の遠位端から突出している複数のブレードすなわちリーフレット７４とを有している。隔壁シールド７０は、ブレードすなわちリーフレット７４が、チップ６０ａを備えた隔壁シール６０の頂面すなわち近位側表面をカバーするようにして隔壁シール６０内に配置される。
【００１５】
隔壁シールド７０の特徴は、外科用器具の挿入中にシール６０を保護すること、シール６０を通して器具を配置しまたは取出すときに遭遇する牽引力を低減させること、シールおよび外科用器具の軸線方向に隔壁シールが移動するのを制限すること、および製造が容易なことである。図２のトロカールシール５０と同様に、図４には本発明のトロカールシール５０ａの内部構造が示されており、トロカールシール５０ａは、シールハウジング５２ａ、カニューレシール５４ａ、シールスペーサ５６ａ、二重ダックビル弁５８ａ、隔壁シール６０ａ、隔壁シールド７０およびシールキャップ６４ａを有している。二重ダックビル弁５８ａは、トロカールシールを通していかなる器具も配置されていないときに、ゼロシールを形成するように作用する。
【００１６】
隔壁シール６０ａは、好ましくは柔軟な可撓性材料で作られ、直径約５〜１５ｍｍの範囲の器具をシールするように拡大する開口を備えている。本発明の隔壁シールド７０は、二重ダックビル弁５８ａおよび隔壁シール６０ａの両者のシリンダ内に配置される。隔壁シールド７０は剛性プラスチックシリンダで形成され、器具がトロカールシール５０ａを通して隔壁シール６０ａに挿入されるときに器具の心出しおよびガイドを行うように作用する。図２に示したスリーブ６２と比較して、本発明の隔壁シールド７０の長所は、新しい設計が、剛性シリンダすなわち管状部材７２内にモールディングされた複数のブレードすなわちリーフレット７４を有していることである。ブレードすなわちリーフレット７４はシリンダすなわち管状部材７２から遠位側に突出していて、チップ６０ａを備えた隔壁シール６０ａの頂面すなわち近位側表面をカバーする。図５〜図８には、本発明の隔壁シールド７０の他の実施形態が示されている。
【００１７】
本発明の他の態様では、ブレードすなわちリーフレット７４は互いにオーバーラップして、隔壁シール６０ａの近位側表面をカバーするように構成できる。隔壁が約５〜１５ｍｍの範囲の器具を収容するとき、それぞれのブレードすなわちリーフレット７４は、隔壁シール６０ａを開きすなわち拡大させ、外科用器具による損傷から隔壁の柔軟な可撓性材料を保護するように機能する。器具が取出されるときに潜在的可能性のある「ロックアップ」を回避するため、本発明の隔壁シールド７０は、各ブレードすなわちリーフレットのチップ７４ａが変形し、これにより、個々のリーフレットのチップが器具に向かって内方に丸まり、器具がシールから取出されるときに器具が滑ることを可能にする可変半径を創成するように設計されている。各リーフレットのチップ７４ａが内方に変形されると、ブレードすなわちリーフレット７４の本体すなわち近位側部分が器具の軸線方向位置から離れる方向に押しやられる。この特徴は、各リーフレットの設計に２つの応力集中部を設けることにより達成される。遠位側の応力集中は、リーフレットのチップを内方に移動できるようにすると同時に、リーフレットの本体を器具から離れるように外方に移動させる。近位側の応力集中は、各リーフレットが、互いにかつ各リーフレットが取付けられたシリンダの支持構造体から独立的に移動できるようにする。
【００１８】
図１および図２に示した従来の設計では、スリーブ６２のようなシールドは、器具の移動方向に垂直に取付けられた。本発明では、図３に示したようなブレードすなわちリーフレット７４が隔壁シール６０ａの円錐形状内に配置される。シールドのブレードすなわちリーフレット７４を隔壁の近くに配置することにより、器具を、実際の隔壁の柔軟な可撓性材料よりかなり潤滑性のあるシールドの材料上で摺動させることができるため、器具の挿入または取出しに要する牽引力を低減できる。これは、従来技術のシールドに比べて大きい長所である。また、本発明のシールド７０は隔壁の支持に使用できかつ器具がシール６０ａに導入されまたは取出されるときに隔壁のあらゆる軸線方向移動を低減できる。更に、ブレードすなわちリーフレット７４は互いにオフセットしており、周方向に配置されていないため、シールド７０が製造中または大きい器具が取出された後に取付けられるときに、ブレードすなわちリーフレット７４が互いに障害となることはなく、互いに同じ態様で反復してオーバーラップするであろう。
【００１９】
本発明の他の態様では、ブレードすなわちリーフレットの材料、デュロメータ硬度およびシールド幾何学的形状を変更して、器具およびツールがシールドに接触するときにシールドの挙動をコントロールすることができる。例えば、図９Ａに示すように、チップ７４ａは、第一デュロメータ硬度を有する第一材料および第二デュロメータ硬度を有する第二材料で構成できる。第一デュロメータ硬度は、第二デュロメータ硬度より大きく、または等しく、または小さくすることができる。図９Ｂに示す本発明の他の態様では、隔壁シール６０ｂとシールド７０ｂとの間に他の層８４がサンドイッチされ、かつ該層８４はシールド７０ｂと同じ材料で形成され、ブレードすなわちリーフレット７４ｂより長く延びている。図９Ｃに示す本発明の更に別の態様では、シールド７０ｄが隔壁シール６０ｃの外側に設けられている。内側シールド７０ｃのデュロメータ硬度すなわちスチフネフは、外側シールド７０ｄより、大きく、または等しく、または小さくし、かつ内側シールド７０ｃの長さは、外側シールド７０ｄより短くすることも考えられる。また、シールドが、器具の挿入および取出し中に隔壁シールを開いてこれを保護するように作用し、更に、ツールが取出されるときに器具から離れる方向に撓んで、シールドおよび隔壁の圧縮およびシールドの反転現象を防止し、更にトロカールから器具が取出されるときにロックアップまたは詰まりを引起こさないようにすることも考えられる。
【００２０】
当業者ならば、本発明の精神および範囲から逸脱することなく、多くの変更および修正をなし得るであろう。例えば、ブレードすなわちリーフレットおよびシールドの幾何学的形状、材料および配置は、異なる用途に応じて変更することも考えられる。従って、図示の実施形態は例示の目的で説明したものに過ぎず、本発明を限定するものではないことを理解すべきである。
【図面の簡単な説明】
【００２１】
【図１】ゼロ封鎖弁を示すため従来技術のトロカールの一部を破断した側面図である。
【図２】シールスリーブを備えた従来技術のトロカールシールを示す斜視図である。
【図３】図２のシールスリーブと置換する、本発明の隔壁シールドを示す拡大断面図である。
【図４】本発明の隔壁シールドを備えたトロカールシールを示す拡大断面図である。
【図５】本発明の隔壁シールドを示す拡大側面図である。
【図６】本発明の隔壁シールドのブレードすなわちリーフレットを示す底面図である。
【図７】本発明の他の実施形態による隔壁シールドを示す拡大側面図である。
【図８】本発明の他の実施形態による隔壁シールドを示す斜視図である。
【図９Ａ】本発明のシールドの幾何学的形状の一実施形態を示す図面である。
【図９Ｂ】本発明のシールドの幾何学的形状の他の実施形態を示す図面である。
【図９Ｃ】本発明のシールドの幾何学的形状の更に別の実施形態を示す図面である。
【符号の説明】
【００２２】
１０  トロカール
５０ａ  トロカールシール
５２ａ  シールハウジング
５４ａ  カニューレシール
５６ａ  シールスペーサ
５８ａ  二重ダックビル弁
６０ａ  隔壁シール
６４ａ  シールキャップ
７０  隔壁シールド
７４  ブレード（リーフレット）
７４ａ  チップ
【図１】
2007513691.tif 000003
【図２】
2007513691.tif 000004
【図３】
2007513691.tif 000005
【図４】
2007513691.tif 000006
【図５】
2007513691.tif 000007
【図６】
2007513691.tif 000008
【図７】
2007513691.tif 000009
【図８】
2007513691.tif 000010
【図９Ａ】
2007513691.tif 000011
【図９Ｂ】
2007513691.tif 000012
【図９Ｃ】
2007513691.tif 000013
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
長手方向軸線に沿って形成されたチャネルを備えた、外科用器具を受入れることができるトロカール組立体において、
近位側を向いた表面を備えたシールチップを含むチャネル内に配置される隔壁シールと、
近位端および遠位端を含む管状部材を備えた隔壁シールドと、管状部材の遠位端から遠位側に突出している複数のブレードとを有し、隔壁シールドは、ブレードがシールチップの近位側を向いた表面と係合するようにして隔壁シールの内部に配置されることを特徴とするトロカール組立体。
【請求項２】
ゼロ封鎖シールは二重ダックビル弁であることを特徴とする請求項１記載のトロカール組立体。
【請求項３】
前記隔壁シールドは、隔壁シールを通して外科用器具を挿入しかつ取出すときの牽引力を低減させることを特徴とする請求項１記載のトロカール組立体。
【請求項４】
前記隔壁シールドは、外科用器具の挿入時および取出し時の隔壁シールドおよび外科用器具の軸線方向移動を最小にするように作用することを特徴とする請求項１記載のトロカール組立体。
【請求項５】
前記ブレードは互いにオーバーラップすることを特徴とする請求項１記載のトロカール組立体。
【請求項６】
前記隔壁シールドは、ブレードが、オリフィスを形成する部分の半径方向で隔壁シールと係合するようにして隔壁シールの内部に配置されることを特徴とする請求項１記載のトロカール組立体。
【請求項７】
各ブレードは、前記外科用器具の挿入時および取出し時に、外科用器具に対して滑るか丸められる遠位側チップを有していることを特徴とする請求項１記載のトロカール組立体。
【請求項８】
各ブレードは、遠位側チップに第一応力集中を形成しかつブレードの本体に沿って第二応力集中を形成することを特徴とする請求項７記載のトロカール組立体。
【請求項９】
前記第一応力集中は遠位側チップが外科用器具に対して内方に移動することを可能にし、第二応力集中は本体が外科用器具から外方に離れるように移動することを可能にすることを特徴とする請求項８記載のトロカール組立体。
【請求項１０】
前記各ブレードの遠位側チップは、第一デュロメータ硬度を有する第一材料と、第二デュロメータ硬度を有する、第一材料よりも遠位側の第二材料とを備えていることを特徴とする請求項７記載のトロカール組立体。
【請求項１１】
前記第一デュロメータ硬度は、第二デュロメータ硬度に等しいかこれより大きいことを特徴とする請求項１０記載のトロカール組立体。
【請求項１２】
前記第一デュロメータ硬度は第二デュロメータ硬度より小さいことを特徴とする請求項１０記載のトロカール組立体。
【請求項１３】
或る断面寸法をもつ外科用器具を受入れることができる弁組立体において、
長い軸線に沿って貫通して延びるチャネルを形成しているハウジングと、
オリフィスを形成する遠位側部分を備えた、ハウジング内に配置される隔壁シールとを有し、前記遠位側部分は半径方向外方に拡大して、オリフィスを拡大でき、
作動可能にハウジングに取付けられかつオリフィスを拡大すべくオリフィスの外方で隔壁シールと係合する隔壁シールドを更に有し、該隔壁シールドは外科用器具に応答し、該器具の断面寸法に比例してオリフィスを拡大し、
隔壁シールドは近位端および遠位端を備え、遠位端は複数のブレードを備え、各ブレードは、オリフィスを形成する遠位側部分の半径方向で隔壁シールと係合できる遠位端を備えていることを特徴とするトロカール組立体。
【請求項１４】
細長物体を受入れて該細長物体の周囲にシールを形成することができるシール組立体において、
チャネルを形成するハウジングを有し、チャネルはこれを通ってほぼ軸線方向に移動する物体を受入れるように構成されており、
ハウジングのチャネルを横切って延びる隔壁と、
物体を受入れることができる孔を形成する隔壁の部分とを有し、該部分はチャネルを通して物体と係合し、
近位端および遠位端を備えた、ハウジング内に配置される隔壁シールドを更に有し、前記遠位端は、前記孔に向かう物体のガイドおよびチャネル内への挿入に応答する孔の拡大を容易にする複数のブレードを備えていることを特徴とするトロカール組立体。
【請求項１５】
前記隔壁シールドのブレードは摩擦力を低減させて、ハウジングのチャネルを通して物体を更に移動させることを容易にすることを特徴とする請求項１、１３または１４記載のトロカール組立体。
【請求項１６】
前記隔壁のチャネルの外側に配置されるゼロ封鎖シールを更に有することを特徴とする請求項１、１３または１４記載のトロカール組立体。
【請求項１７】
前記隔壁シールドは剛性プラスチック材料で形成されていることを特徴とする請求項１、１３または１４記載のトロカール組立体。
【請求項１８】
前記孔は、約５〜１５ｍｍの直径を有する物体に適合するように拡大可能であることを特徴とする請求項１、１３または１４記載のトロカール組立体。
【請求項１９】
前記ブレードは互いにオフセットされていることを特徴とする請求項１、１３または１４記載のトロカール組立体。
【請求項２０】
前記シールは、低デュロメータ硬度を有するエラストマ材料で形成されていることを特徴とする請求項１、１３または１４記載のトロカール組立体。
【請求項２１】
前記隔壁の外側に配置される第二隔壁シールドを更に有することを特徴とする請求項１、１３または１４記載のトロカール組立体。
【請求項２２】
前記隔壁シールドは、第一デュロメータ硬度を有し、前記第二隔壁シールドは、第二デュロメータ硬度を有することを特徴とする請求項２１記載のトロカール組立体。
【請求項２３】
前記第一デュロメータ硬度は、前記第二デュロメータ硬度に等しいかこれより大きいことを特徴とする請求項２２記載のトロカール組立体。
【国際調査報告】
2007513691.tif 000014
2007513691.tif 000015
2007513691.tif 000016